(57)【要約】      （修正有）【課題】遠隔会議の複数の出席者によって資料に描かれた複数のアノテーションのうちから、意味付けに応じてアノテーションを抽出するデータ管理装置、データ管理方法及びプログラムを提供する。【解決手段】Ｍ（Ｍは２以上の整数）台のユーザ端末２−１〜２ーＭと、通信回線３と、データ管理装置４とを備えるデータ管理システム１において、データ管理装置４は、抽出に用いられる情報である抽出用情報を含むメタ情報とアノテーションとの組み合わせを、第１のユーザ端末から取得するインタフェース４１と、アノテーションを符号化する符号化復号部４２と、符号化されたアノテーションである符号化アノテーションとメタ情報との組み合わせを記憶部に記録するデータ処理部４３とを備える。符号化復号部４２は、符号化アノテーションから、アノテーションを復号し、インタフェース４１は、復号結果であるアノテーションを、第２のユーザ端末に送信する。【選択図】図１
2022003481.tif 000002
【特許請求の範囲】
【請求項１】
抽出に用いられる情報である抽出用情報を含むメタ情報とアノテーションとの組み合わせを、第１のユーザ端末から取得するインタフェースと、
前記アノテーションを符号化する符号化復号部と、
符号化された前記アノテーションである符号化アノテーションと前記メタ情報との組み合わせを記憶部に記録するデータ処理部と
を備え、
前記符号化復号部は、前記符号化アノテーションから、前記アノテーションを復号し、
前記インタフェースは、復号結果である前記アノテーションを、第２のユーザ端末に送信する、
データ管理装置。
【請求項２】
前記抽出用情報は、前記アノテーションの作成時刻情報と、前記アノテーションの作成者情報と、前記アノテーションの重要度情報と、前記アノテーションの性質情報と、前記アノテーションのテーマ情報とのうちの少なくとも一つを含む、
請求項１に記載のデータ管理装置。
【請求項３】
前記インタフェースは、編集に関する指示である編集指示と前記抽出用情報とを、前記第１のユーザ端末から取得し、
前記データ処理部は、前記符号化アノテーションと前記メタ情報との組み合わせに対して検索を実行することによって、前記抽出用情報に基づいて前記符号化アノテーションを抽出し、抽出された前記符号化アノテーションに対して前記編集指示に基づく編集を実行することによって、編集済の前記アノテーションである編集済アノテーションを作成し、
前記インタフェースは、前記第１のユーザ端末と前記第２のユーザ端末とのうちの少なくとも一方に、前記編集済アノテーションを送信する、
請求項１又は請求項２に記載のデータ管理装置。
【請求項４】
データ管理装置が実行するデータ管理方法であって、
抽出に用いられる情報である抽出用情報を含むメタ情報とアノテーションとの組み合わせを、第１のユーザ端末から取得するインタフェースステップと、
前記アノテーションを符号化する符号化復号ステップと、
符号化された前記アノテーションである符号化アノテーションと前記メタ情報との組み合わせを記憶部に記録するデータ処理ステップと
を含み、
前記符号化復号ステップでは、前記符号化アノテーションから、前記アノテーションを復号し、
前記インタフェースステップでは、復号結果である前記アノテーションを、第２のユーザ端末に送信する、
データ管理方法。
【請求項５】
請求項１から請求項３のいずれか一項に記載のデータ管理装置としてコンピュータを機能させるためのプログラム。
【発明の詳細な説明】
【技術分野】
【０００１】
本発明は、データ管理装置、データ管理方法及びプログラムに関する。
【背景技術】
【０００２】
情報化社会における効率的なコミュニケーションの実現方法として、遠隔会議（ビデオ会議）において動画像及び音声を用いるコミュニケーションが推奨されている。このような遠隔会議のサービスは、データ管理装置によって提供される場合がある。遠隔会議の各出席者自身の動画像及び音声を出席者同士が共有することで、互いに遠隔にいる他の出席者との円滑なコミュニケーションが可能となる。また、遠隔会議の出席者は、自らが操作するユーザ端末の画面に表示されている資料等の情報を、遠隔会議の他の出席者と共有することが可能である。
【０００３】
以下、図形及びテキストのうちの少なくとも一方を「アノテーション」という。データ管理装置には、共有された資料にアノテーションを重ねることによって、共有された資料にアノテーションを描画する機能（以下「アノテーション機能」という。）がある。遠隔会議において、動画像及び音声が用いられるだけでは不十分となる意思疎通をアノテーション機能が補完することによって、より円滑なコミュニケーションが可能となる（特許文献１参照）。
【先行技術文献】
【特許文献】
【０００４】
【特許文献１】特許第５８１２５０７号公報
【発明の概要】
【発明が解決しようとする課題】
【０００５】
しかしながら、例えば、遠隔会議において複数のテーマが議題となり、遠隔会議の複数の出席者によって描かれた複数のアノテーションが１枚の資料に混在しているような場合、後日、何のテーマについて描かれた各アノテーションであるのかを出席者が判別することが難しくなっている場合がある。このように、遠隔会議の複数の出席者によって資料に描かれた複数のアノテーションのうちから、意味付けに応じて（例えば、テーマごとに）アノテーションを抽出することができない場合がある。
【０００６】
上記事情に鑑み、本発明は、遠隔会議の複数の出席者によって資料に描かれた複数のアノテーションのうちから、意味付けに応じてアノテーションを抽出することが可能であるデータ管理装置、データ管理方法及びプログラムを提供することを目的としている。
【課題を解決するための手段】
【０００７】
本発明の一態様は、抽出に用いられる情報である抽出用情報を含むメタ情報とアノテーションとの組み合わせを、第１のユーザ端末から取得するインタフェースと、前記アノテーションを符号化する符号化復号部と、符号化された前記アノテーションである符号化アノテーションと前記メタ情報との組み合わせを記憶部に記録するデータ処理部とを備え、前記符号化復号部は、前記符号化アノテーションから、前記アノテーションを復号し、前記インタフェースは、復号結果である前記アノテーションを、第２のユーザ端末に送信する、データ管理装置である。
【０００８】
本発明の一態様は、データ管理装置が実行するデータ管理方法であって、抽出に用いられる情報である抽出用情報を含むメタ情報とアノテーションとの組み合わせを、第１のユーザ端末から取得するインタフェースステップと、前記アノテーションを符号化する符号化復号ステップと、符号化された前記アノテーションである符号化アノテーションと前記メタ情報との組み合わせを記憶部に記録するデータ処理ステップとを含み、前記符号化復号ステップでは、前記符号化アノテーションから、前記アノテーションを復号し、前記インタフェースステップでは、復号結果である前記アノテーションを、第２のユーザ端末に送信する、データ管理方法である。
【０００９】
本発明の一態様は、上記のデータ管理装置としてコンピュータを機能させるためのプログラムである。
【発明の効果】
【００１０】
本発明により、遠隔会議の複数の出席者によって資料に描かれた複数のアノテーションのうちから、意味付けに応じてアノテーションを抽出することが可能である。
【図面の簡単な説明】
【００１１】
【図１】実施形態における、データ管理システムの構成例を示す図である。
【図２】実施形態における、アノテーション作成用画像の例を示す図である。
【図３】実施形態における、資料に描かれた各アノテーションの例を示す図である。
【図４】実施形態における、第１のアノテーションに付与されたメタ情報の例を示す図である。
【図５】実施形態における、第２のアノテーションに付与されたメタ情報の例を示す図である。
【図６】実施形態における、第３のアノテーションに付与されたメタ情報の例を示す図である。
【図７】実施形態における、第４のアノテーションに付与されたメタ情報の例を示す図である。
【図８】実施形態における、抽出されたアノテーションの第１例を示す図である。
【図９】実施形態における、抽出されたアノテーションの第２例を示す図である。
【図１０】実施形態における、抽出されたアノテーションの第３例を示す図である。
【図１１】実施形態における、抽出されたアノテーションの第４例を示す図である。
【図１２】実施形態における、メタ情報が付与される動作例を示すシーケンス図である。
【図１３】実施形態における、抽出されたアノテーションが編集される動作例の例を示すシーケンス図である。
【発明を実施するための形態】
【００１２】
本発明の実施形態について、図面を参照して詳細に説明する。
図１は、データ管理システム１の構成例を示す図である。データ管理システム１は、遠隔会議のサービスを提供するシステムである。例えば、データ管理システム１は、遠隔会議において複数の出席者に共有される資料に描かれたアノテーションのデータを管理する。資料とは、ホワイトボードでもよい。つまり、アノテーションは、資料に描かれてもよいし、ホワイトボードに描かれてもよい。以下では、「資料」は「ホワイトボード」と読み替えられてもよい。
【００１３】
データ管理システム１は、ＩＴＵ−Ｔ（International Telecommunication Union Telecommunication Standardization Sector）のＨ.３２３、ＷｅｂＲＴＣ（Web Real-Time Communication）又はＳＩＰ（Session Initiation Protocol）等のプロトコルを、遠隔会議のプラットフォームとして利用する。これによって、データ管理システム１は、遠隔会議のサービスを各出席者（各ユーザ）に提供する。
【００１４】
アノテーションのデータは、画像データでもよいし、テキストボックスに記載されたテキストデータでもよい。データ管理システム１は、アノテーションにメタ情報を付与する。アノテーションに付与されたメタ情報は、固有情報と、抽出用情報とを含む。
【００１５】
固有情報とは、アノテーションに固有のデータ、すなわち、図形とテキストとのうちの少なくとも一方の構成要素である。構成要素とは、例えば、形状、位置（座標）、サイズ及び色である。抽出用情報とは、アノテーションの抽出（検索）に用いられる情報である。データ管理システム１は、遠隔会議の複数の出席者によって資料に描かれた複数のアノテーションのうちから、意味付けに応じてアノテーションを抽出する。この意味付けは、意味を持った情報として予め定められる。意味を持った情報とは、例えば、アノテーションの作成時刻（作成日時）と、アノテーションの作成者と、アノテーションの重要度と、アノテーションの性質と、アノテーションのテーマとである。抽出用情報におけるアノテーションの性質は、例えば、案として描かれたアノテーションであるか、又は、決定事項として描かれたアノテーションであるかを表す。
【００１６】
データ管理システム１は、抽出用情報に基づいて資料から抽出されたアノテーションを編集（加工）する。例えば、データ管理システム１は、同一の作成者によって資料に描かれたアノテーション群のみを、資料に再表示（再構成）する。例えば、データ管理システム１は、重要度が高いアノテーション群のみを、資料に再表示してもよい。例えば、データ管理システム１は、重要度が高いアノテーション群のみに基づいて、遠隔会議の議事録を作成してもよい。例えば、データ管理システム１は、同一のテーマに関するアノテーション群のみを、資料に再表示してもよい。
【００１７】
データ管理システム１は、Ｍ（Ｍは２以上の整数）台のユーザ端末２と、通信回線３と、データ管理装置４とを備える。データ管理装置４は、インタフェース４１と、符号化復号部４２と、データ処理部４３と、記憶部４４とを備える。
【００１８】
データ管理装置４の各機能部のうちの少なくとも一部は、サーバ等のコンピュータにおける、ＣＰＵ（Central Processing Unit）等のプロセッサが、記憶部４４に記憶されたプログラムを実行することにより実現される。記憶部４４は、例えばフラッシュメモリ、ＨＤＤ（Hard Disk Drive）などの不揮発性の記録媒体（非一時的な記録媒体）が好ましい。記憶部は、ＲＡＭ（Random Access Memory）などの揮発性の記録媒体を備えてもよい。データ管理装置４の各機能部のうちの少なくとも一部は、例えば、ＬＳＩ（Large Scale Integrated circuit）やＡＳＩＣ（Application Specific Integrated Circuit）等のハードウェア（電子回路）を用いて実現されてもよい。
【００１９】
以下では、ユーザ端末２からユーザ端末２−Ｍまでの各ユーザ端末２に共通する事項については、符号の一部を省略して、「ユーザ端末２」と表記する。ユーザ端末２は、情報処理装置であり、例えば、パーソナルコンピュータ、タブレット端末、又は、スマートフォン端末である。ユーザ端末２−ｍ（ｍは、１からＭまでのいずれかの整数）は、ユーザ端末２−ｍのユーザ（遠隔会議の出席者）によって操作される。
【００２０】
図２は、実施形態における、アノテーション作成用画像１００の例を示す図である。アノテーション作成用画像１００は、アノテーションを作成するために用いられる操作キー画像である。アノテーション作成用画像１００は、ユーザ端末２の画面に表示される。ユーザ端末２のユーザは、ユーザ端末２の操作デバイスを操作することによって、アノテーション作成用画像１００を操作することが可能である。
【００２１】
アノテーション作成用画像１００は、アイコン画像１０１と、アイコン画像１０２と、情報選択用画像１０３とを有する。アイコン画像１０１は、アノテーションとしての定型図形をユーザが描くための操作キー画像である。アイコン画像１０２は、アノテーションとしての図形をユーザがフリーハンドで描くための操作キー画像である。
【００２２】
情報選択用画像１０３は、抽出用情報をユーザが選択するために用いられる操作キー画像である。図２には、抽出用情報の一例として、アノテーションの重要度を表す「高」及び「低」が表されている。重要度を表す「高」及び「低」は、一例として、プルダウンメニューの形式で表されている。ユーザは、アイコン画像１０１又はアイコン画像１０２を操作してアノテーションを作成する際に、抽出用情報を選択する。
【００２３】
図１に戻り、データ管理システム１の構成例の説明を続ける。通信回線３は、Ｈ.３２３、ＷｅｂＲＴＣ又はＳＩＰ等のプロトコルに基づく信号を伝送する。インタフェース４１は、ユーザインタフェースをユーザ端末２に提供する機能部である。インタフェース４１は、通信回線３を経由して、ユーザ端末２と通信する。
【００２４】
インタフェース４１は、メタ情報とアノテーションとの組み合わせを、ユーザ端末２から取得する。インタフェース４１は、アノテーションを符号化復号部４２に送信する。インタフェース４１は、ユーザ端末２から取得されたメタ情報を、データ処理部４３に送信する。
【００２５】
インタフェース４１は、ユーザ端末２−１から取得されたアノテーションに基づいて符号化復号部４２によって復号されたアノテーションを、ユーザ端末２−２に送信する。これによって、ユーザ端末２−１から取得されたアノテーションは、ユーザ端末２−２に共有される。
【００２６】
インタフェース４１は、データ処理部４３によって編集されたアノテーションを、各ユーザ端末２に送信する。編集されたアノテーションは、例えば、同一の作成者によって作成されたアノテーション（図形）のみが描かれた資料でもよいし、重要なアノテーション（テキスト）のみに基づいて作成された議事録でもよい。
【００２７】
図３は、実施形態における、資料１１０に描かれた各アノテーションの例を示す図である。資料１１０は、ユーザ端末２−１の画面と、ユーザ端末２−２の画面とに、それぞれ表示される。これによって、資料１１０は、ユーザ端末２−１のユーザと、ユーザ端末２−２のユーザとに共有される。図３に示された資料１１０には、アノテーション２００と、アノテーション２１０と、アノテーション３００と、アノテーション３０１とが描かれている。
【００２８】
アノテーション２００は、一例として、テキストボックスに記載されたテキスト「Ｐｌａｎ：Ａ」である。アノテーション２１０は、一例として、定型図形である。アノテーション２００とアノテーション２１０とは、ユーザ端末２−１のユーザである「佐藤」によって作成されたアノテーション群である。
【００２９】
アノテーション３００は、一例として、テキストボックスに記載されたテキスト「Ｐｌａｎ：Ｂ」である。アノテーション３０１は、一例として、フリーハンドで描かれた図形である。アノテーション３００とアノテーション３１０とは、ユーザ端末２−２のユーザである「田中」によって作成されたアノテーション群である。
【００３０】
なお、ユーザ端末２−１のユーザである「佐藤」によって作成されたアノテーションと、ユーザ端末２−２のユーザである「田中」によって作成されたアノテーションとは、重なってもよい。
【００３１】
符号化復号部４２は、アノテーションを符号化する。すなわち、符号化復号部４２は、アノテーションデータの型を、キーバリュー型に変換する。キーバリュー型にデータ変換されたアノテーションは、抽出可能（検索可能）である。符号化復号部４２は、符号化されたアノテーションである符号化アノテーションを、データ処理部４３に送信する。
【００３２】
符号化復号部４２は、符号化アノテーションを記憶部４４から取得する。符号化復号部４２は、符号化アノテーションに対して復号処理を実行することによって、アノテーションを復号する。符号化復号部４２は、復号結果であるアノテーションを、インタフェース４１に送信する。
【００３３】
データ処理部４３は、ユーザ端末２から取得されたメタ情報を、符号化アノテーションに付与する。データ処理部４３は、メタ情報と符号化アノテーションとを、記憶部４４に記録する。
【００３４】
データ処理部４３は、編集に関する指示である編集指示と抽出用情報とを、インタフェース４１から取得する。データ処理部４３は、取得された抽出用情報が付与されている符号化アノテーションを、記憶部４４に記憶されている複数の符号化アノテーションのうちから抽出（検索）する。データ処理部４３は、抽出された符号化アノテーションを編集することによって、編集された符号化アノテーションである編集済アノテーションを作成する。例えば、データ処理部４３は、抽出された符号化アノテーションを編集することによって、遠隔会議の議事録を作成する。
【００３５】
記憶部４４は、抽出用情報と符号化アノテーションとを対応付けて記憶する。また、記憶部４４は、抽出用情報と編集済アノテーションとを対応付けて記憶する。
【００３６】
次に、メタ情報の詳細を説明する。
図４は、実施形態における、アノテーション２００（第１のアノテーション）に付与されたメタ情報の例を示す図である。アノテーション２００に付与されたメタ情報は、タイプ「テキスト」と、色「緑」と、位置「（ｘ１，ｙ１）」と、サイズ「５０」とを、固有情報の例として含む。アノテーション２００に付与されたメタ情報は、作成時刻情報「ｔ１」と、作成者情報「佐藤」と、重要度情報「高」と、性質情報「案」と、テーマ情報「第１テーマ」とを、抽出用情報の例として含む。アノテーション２００に付与されたメタ情報は、アノテーション２００の識別情報「ＩＤ１」を含んでもよい。
【００３７】
図５は、実施形態における、アノテーション２１０（第２のアノテーション）に付与されたメタ情報の例を示す図である。アノテーション２１０に付与されたメタ情報は、タイプ「図形」と、色「緑」と、位置「（ｘ１，ｙ１）」と、サイズ「１００」とを、固有情報の例として含む。アノテーション２１０に付与されたメタ情報は、作成時刻情報「ｔ２」と、作成者情報「佐藤」と、重要度情報「低」と、性質情報「案」と、テーマ情報「第１テーマ」とを、抽出用情報の例として含む。アノテーション２１０に付与されたメタ情報は、アノテーション２１０の識別情報「ＩＤ２」を含んでもよい。
【００３８】
図６は、実施形態における、アノテーション３００（第３のアノテーション）に付与されたメタ情報の例を示す図である。アノテーション３００に付与されたメタ情報は、タイプ「テキスト」と、色「赤」と、位置「（ｘ２，ｙ２）」と、サイズ「５０」とを、固有情報の例として含む。アノテーション３００に付与されたメタ情報は、作成時刻情報「ｔ３」と、作成者情報「田中」と、重要度情報「高」と、性質情報「決定事項」と、テーマ情報「第１テーマ」とを、抽出用情報の例として含む。アノテーション３００に付与されたメタ情報は、アノテーション３００の識別情報「ＩＤ３」を含んでもよい。
【００３９】
図７は、実施形態における、アノテーション３１０（第４のアノテーション）に付与されたメタ情報の例を示す図である。アノテーション３１０に付与されたメタ情報は、タイプ「図形」と、色「赤」と、位置「（ｘ２，ｙ２）」と、サイズ「１００」とを、固有情報の例として含む。アノテーション３１０に付与されたメタ情報は、作成時刻情報「ｔ４」と、作成者情報「田中」と、重要度情報「低」と、性質情報「決定事項」と、テーマ情報「第１テーマ」とを、抽出用情報の例として含む。アノテーション３１０に付与されたメタ情報は、アノテーション３１０の識別情報「ＩＤ４」を含んでもよい。
【００４０】
次に、抽出されたアノテーションの例を説明する。
図８は、実施形態における、抽出されたアノテーションの第１例を示す図である。図８では、図１に示されたユーザ端末２−１が、抽出用情報「作成者＝佐藤」が付与されているアノテーションのみを資料１１０に描く旨の指示を、編集指示として作成する。ユーザ端末２−１は、このような編集指示と抽出用情報「作成者＝佐藤」とを、インタフェース４１に送信する。
【００４１】
データ処理部４３は、抽出用情報「作成者＝佐藤」が付与されているアノテーションのみを、記憶部４４に記憶されている複数の符号化されたアノテーションのうちから抽出する。以下、符号化されたアノテーションを「符号化アノテーション」という。図８に示された資料１１０には、抽出用情報「作成者＝佐藤」が付与されているアノテーション２００及びアノテーション２１０のみが描かれている。
【００４２】
図９は、実施形態における、抽出されたアノテーションの第２例を示す図である。図９では、図１に示されたユーザ端末２−１が、抽出用情報「重要度＝高」が付与されているアノテーションのみを資料１１０に描く旨の指示を、編集指示として作成する。ユーザ端末２−１は、このような編集指示と抽出用情報「重要度＝高」とを、インタフェース４１に送信する。
【００４３】
データ処理部４３は、抽出用情報「重要度＝高」が付与されているアノテーションのみを、記憶部４４に記憶されている複数の符号化アノテーションのうちから抽出する。図９に示された資料１１０には、抽出用情報「重要度＝高」が付与されているアノテーション２００及びアノテーション３００のみが描かれている。
【００４４】
図１０は、実施形態における、抽出されたアノテーションの第３例を示す図である。図１０では、図１に示されたユーザ端末２−１が、抽出用情報「重要度＝高」が付与されているアノテーションに基づいて議事録を作成する旨の指示を、編集指示として作成する。ユーザ端末２−１は、このような編集指示と抽出用情報「重要度＝高」とを、インタフェース４１に送信する。
【００４５】
データ処理部４３は、抽出用情報「重要度＝高」が付与されているアノテーション２００及びアノテーション３００を、記憶部４４に記憶されている複数の符号化アノテーションのうちから抽出する。図１０に示された議事録には、抽出用情報「重要度＝高」が付与されているアノテーション２００「Ｐｌａｎ：Ａ」及びアノテーション３００「Ｐｌａｎ：Ｂ」が記載されている。また、これらのアノテーションのメタ情報のうちから、予め定められた項目（例えば、作成時刻情報、作成者情報）が議事録に記載されてもよい。
【００４６】
図１１は、実施形態における、抽出されたアノテーションの第４例を示す図である。図１１では、図１に示されたユーザ端末２−１が、抽出用情報「性質＝決定事項」が付与されているアノテーションのみを資料１１０に描く旨の指示を、編集指示として作成する。ユーザ端末２−１は、このような編集指示と抽出用情報「性質＝決定事項」とを、インタフェース４１に送信する。
【００４７】
データ処理部４３は、抽出用情報「性質＝決定事項」が付与されているアノテーションのみを、記憶部４４に記憶されている複数の符号化アノテーションのうちから抽出する。図１１に示された資料１１０には、抽出用情報「性質＝決定事項藤」が付与されているアノテーション３００及びアノテーション３１０のみが描かれている。
【００４８】
次に、データ管理システム１の動作例を説明する。
図１２は、実施形態における、メタ情報が付与される動作例を示すシーケンス図である。ユーザ端末２−１は、ユーザ端末２−１のユーザ（遠隔会議の出席者）による操作に応じて、抽出用情報を選択する。この操作は、例えば、図２に示されたような情報選択用画像１０３（抽出用情報のプルダウンメニュー）に対する操作である（ステップＳ１０１）。
【００４９】
ユーザ端末２−１は、アノテーションの作成者となるユーザによる操作に応じて、資料１１０に描画されるアノテーションを作成する。この操作は、例えば、図２に示されたようなアイコン画像１０１又はアイコン画像１０２に対する操作である。この時点ではアノテーションがインタフェース４１に送信されていないので、ユーザ端末２−１によって作成されたアノテーションは、ユーザ端末２−２と共有されていない（ステップＳ１０２）。
【００５０】
ユーザ端末２−１は、作成されたアノテーションに付与されるメタ情報を作成する。作成されたメタ情報は、作成されたアノテーションの固有情報と、作成されたアノテーションの抽出用情報とを含む（ステップＳ１０３）。ユーザ端末２−１は、メタ情報とアノテーションとの組み合わせを、インタフェース４１に送信する（ステップＳ１０４）。
【００５１】
インタフェース４１は、メタ情報とアノテーションとの組み合わせを、ユーザ端末２−１から取得する。インタフェース４１は、アノテーションを符号化復号部４２に送信する（ステップＳ１０５）。符号化復号部４２は、アノテーションをインタフェース４１から取得する。符号化復号部４２は、取得されたアノテーションを符号化する。すなわち、符号化復号部４２は、アノテーションデータの型を、キーバリュー型に変換する（ステップＳ１０６）。符号化復号部４２は、符号化されたアノテーションである符号化アノテーションを、データ処理部４３に送信する（ステップＳ１０７）。
【００５２】
データ処理部４３は、符号化アノテーションを、符号化復号部４２から取得する（ステップＳ１０８）。データ処理部４３は、メタ情報の送信をインタフェース４１に要求する（ステップＳ１０９）。インタフェース４１は、ユーザ端末２−１から取得されたメタ情報の送信要求を、データ処理部４３から取得する（ステップＳ１１０）。インタフェース４１は、ユーザ端末２−１から取得されたメタ情報を、データ処理部４３に送信する（ステップＳ１１１）。
【００５３】
データ処理部４３は、ユーザ端末２−１から取得されたメタ情報を、インタフェース４１から取得する。データ処理部４３は、メタ情報を符号化アノテーションに付与する（ステップＳ１１２）。データ処理部４３は、メタ情報と符号化アノテーションとの組み合わせを、記憶部４４に記録する（ステップＳ１１３）。記憶部４４は、メタ情報と符号化アノテーションとの組み合わせを記憶する。記憶部４４は、記憶されたアノテーションの識別情報を含むトリガー信号を、データ処理部４３に送信してもよい（ステップＳ１１４）。
【００５４】
データ処理部４３は、記憶部４４に記憶された符号化アノテーションの復号を、符号化復号部４２に要求する（ステップＳ１１５）。符号化復号部４２は、復号要求をデータ処理部４３から取得する。符号化復号部４２は、記憶部４４において、直近の時刻に記憶された符号化アノテーションを検索する（ステップＳ１１６）。
【００５５】
記憶部４４は、符号化アノテーションを検索する処理を受け付ける（ステップＳ１１７）。符号化復号部４２は、符号化アノテーションを記憶部４４から取得する（ステップＳ１１８）。符号化復号部４２は、符号化アノテーションに対して復号処理を実行することによって、アノテーションを復号する。符号化復号部４２は、復号結果であるアノテーションを、インタフェース４１に送信する（ステップＳ１１９）。インタフェース４１は、復号結果であるアノテーションを、符号化復号部４２から取得する。インタフェース４１は、復号結果であるアノテーションを、ユーザ端末２−２に送信する（ステップＳ１２０）。
【００５６】
ユーザ端末２−２は、復号結果であるアノテーションを、インタフェース４１から取得する。ユーザ端末２−２は、取得されたアノテーションを表示する（ステップＳ１２１）。これによって、ユーザ端末２−２は、ユーザ端末２−１によって資料１１０に描かれたアノテーションを、ユーザ端末２−１と共有することが可能である。
【００５７】
図１３は、実施形態における、抽出されたアノテーションが編集（加工）される動作例を示すシーケンス図である。ユーザ端末２−１は、ユーザ端末２−１のユーザによる操作に応じて、抽出用情報を選択する。例えば、ユーザ端末２−１は、抽出用情報「重要度＝高」を、例えば、図２に示されたような情報選択用画像１０３（抽出用情報のプルダウンメニュー）に対する操作を実行することによって選択する（ステップＳ２０１）。
【００５８】
ユーザ端末２−１は、ユーザ端末２−１のユーザによる操作に応じて、編集に関する指示である編集指示を作成する。例えば、ユーザ端末２−１は、議事録を作成する旨の指示を、編集指示として作成する（ステップＳ２０２）。
【００５９】
ユーザ端末２−１は、抽出用情報と編集指示とを、インタフェース４１に送信する（ステップＳ２０３）。インタフェース４１は、抽出用情報と編集指示とを、ユーザ端末２−１から取得する。インタフェース４１は、抽出用情報と編集指示とを、データ処理部４３に送信する（ステップＳ２０４）。
【００６０】
データ処理部４３は、抽出用情報と編集指示とを、インタフェース４１から取得する。データ処理部４３は、取得された抽出用情報が付与されている符号化アノテーションを、記憶部４４に記憶されている１以上の符号化アノテーションのうちから検索する（ステップＳ２０５）。記憶部４４は、取得された抽出用情報が付与されている符号化アノテーションを、データ処理部４３に送信する（ステップＳ２０６）。データ処理部４３は、取得された抽出用情報が付与されている符号化アノテーションを、記憶部４４に記憶されている複数の符号化アノテーションのうちから抽出する。例えば、データ処理部４３は、抽出用情報「重要度＝高い」が付与されているアノテーションのみを、複数の符号化アノテーションのうちから抽出する（ステップＳ２０７）。
【００６１】
データ処理部４３は、符号化アノテーションを編集することによって、編集された符号化アノテーションである編集済アノテーションを作成する。例えば、データ処理部４３は、抽出用情報「重要度＝高い」が付与されているアノテーション（テキスト）のみから、図１０に示されているような議事録を作成する（ステップＳ２０８）。データ処理部４３は、編集済アノテーションを記憶部４４に記録する（ステップＳ２０９）。記憶部４４は、編集済アノテーションを記憶する（ステップＳ２１０）。
【００６２】
データ処理部４３は、記憶部４４に記憶された編集済アノテーションの復号を、符号化復号部４２に要求する（ステップＳ２１１）。符号化復号部４２は、編集済アノテーションの復号の要求を、データ処理部４３から取得する（ステップＳ２１２）。記憶部４４は、編集済アノテーションを検索する処理を受け付ける（ステップＳ２１３）。符号化復号部４２は、直近の時刻に記憶された編集済アノテーションを、記憶部４４から取得する（ステップＳ２１４）。符号化復号部４２は、取得された編集済アノテーションを復号する。符号化復号部４２は、復号された編集済アノテーションを、インタフェース４１に送信する（ステップＳ２１５）。
【００６３】
インタフェース４１は、復号された編集済アノテーションを、符号化復号部４２から取得する。インタフェース４１は、編集済アノテーションを、通信回線３を経由してユーザ端末２−１に送信する（ステップＳ２１６）。ユーザ端末２−１は、編集済アノテーションを表示する。例えば、ユーザ端末２−１は、図１０に示されたような重要度の高いアノテーションのみを表す議事録を。編集済アノテーションとして表示する（ステップＳ２１７）。
【００６４】
インタフェース４１は、ユーザ端末２−１に送信された編集済アノテーションと同じ編集済アノテーションを、通信回線３を経由してユーザ端末２−２に送信する（ステップＳ２１８）。ユーザ端末２−２は、編集済アノテーションを表示する。例えば、ユーザ端末２−１は、図１０に示されたような重要度の高いアノテーションのみを表す議事録を。編集済アノテーションとして表示する（ステップＳ２１９）。
【００６５】
以上のように、インタフェース４１は、抽出に用いられる情報である抽出用情報を含むメタ情報とアノテーションとの組み合わせを、ユーザ端末２−１（第１のユーザ端末）から取得する。符号化復号部４２は、アノテーションを符号化する。すなわち、符号化復号部４２は、アノテーションデータの型を、キーバリュー型に変換する。データ処理部４３は、符号化されたアノテーションである符号化アノテーションとメタ情報との組み合わせを、記憶部４４に記録する。符号化復号部４２は、符号化アノテーションから、アノテーションを復号する。インタフェース４１は、復号結果であるアノテーションを、ユーザ端末２−２（第２のユーザ端末）に送信する。抽出用情報は、例えば、アノテーションの作成時刻情報と、アノテーションの作成者情報と、アノテーションの重要度情報と、アノテーションの性質情報と、アノテーションのテーマ情報とのうちの少なくとも一つを含む。
【００６６】
このように、データ処理部４３は、抽出用情報を含むメタ情報と符号化アノテーションとの組み合わせを、記憶部４４に記録する。これによって、遠隔会議の複数の出席者によって資料に描かれた複数のアノテーションのうちから、意味付けに応じてアノテーションを抽出することが可能である。
【００６７】
インタフェース４１は、編集に関する指示である編集指示と抽出用情報とを、ユーザ端末２−１（第１のユーザ端末）から取得する。データ処理部４３は、符号化アノテーションとメタ情報との組み合わせに対して検索を実行することによって、抽出用情報に基づいて符号化アノテーションを抽出する。データ処理部４３は、抽出された符号化アノテーションに対して編集指示に基づく編集を実行することによって、編集済のアノテーションである編集済アノテーションを作成する。インタフェース４１は、ユーザ端末２−１とユーザ端末２−２とのうちの少なくとも一方に、編集済アノテーションを送信する。
【００６８】
データ管理装置４は、作成時刻情報、作成者情報及び属性情報（例えば、重要度、性質、テーマ）等の抽出用情報を含むメタ情報をアノテーションに付与することによって、共有された空間上で複数のアノテーションを意味付けごとに区分することが可能である。データ管理装置４は、協同作業で得られた意味のあるアノテーションを、複数のアノテーションのうちから抽出することが可能である。データ管理装置４は、意味付けに応じてアノテーションを抽出することによって、遠隔会議のサービスを効率化させ、遠隔会議の生産性を向上させることが可能である。この効率化とは、例えば、ドキュメント（議事録等）にアノテーション（テキスト）を転記する処理の簡易化である。複数の出席者に共有された空間において複数の出席者によって複雑に描かれたアノテーションのうちから、特定の情報を持つアノテーションのみを抽出することができるので、遠隔会議の各出席者はアノテーションの意図を容易に理解することが可能である。
【００６９】
以上、この発明の実施形態について図面を参照して詳述してきたが、具体的な構成はこの実施形態に限られるものではなく、この発明の要旨を逸脱しない範囲の設計等も含まれる。
【符号の説明】
【００７０】
１…データ管理システム、２…ユーザ端末、３…通信回線、４…データ管理装置、１００…アノテーション作成用画像、１０１…アイコン画像、１０２…アイコン画像、１０３…情報選択用画像、１１０…資料、２００…アノテーション、２０１…アノテーション、３００…アノテーション、３０１…アノテーション
【図１】
2022003481.tif 000003
【図２】
2022003481.tif 000004
【図３】
2022003481.tif 000005
【図４】
2022003481.tif 000006
【図５】
2022003481.tif 000007
【図６】
2022003481.tif 000008
【図７】
2022003481.tif 000009
【図８】
2022003481.tif 000010
【図９】
2022003481.tif 000011
【図１０】
2022003481.tif 000012
【図１１】
2022003481.tif 000013
【図１２】
2022003481.tif 000014
【図１３】
2022003481.tif 000015
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
抽出に用いられる情報である抽出用情報を含むメタ情報とアノテーションとの組み合わせを、第１のユーザ端末から取得するインタフェースと、
前記アノテーションを符号化する符号化復号部と、
符号化された前記アノテーションである符号化アノテーションと前記メタ情報との組み合わせを記憶部に記録するデータ処理部と
を備え、
前記符号化復号部は、前記符号化アノテーションから、前記アノテーションを復号し、
前記インタフェースは、復号結果である前記アノテーションを、第２のユーザ端末に送信し、
前記抽出用情報は、案として描かれた前記アノテーションであるか又は決定事項として描かれた前記アノテーションであるかを表す情報を含む、
データ管理装置。
【請求項２】
前記抽出用情報は、更に、前記アノテーションの作成時刻情報と、前記アノテーションの作成者情報と、前記アノテーションの重要度情報と、前記アノテーションのテーマ情報とのうちの少なくとも一つを含む、
請求項１に記載のデータ管理装置。
【請求項３】
前記インタフェースは、編集に関する指示である編集指示と前記抽出用情報とを、前記第１のユーザ端末から取得し、
前記データ処理部は、前記符号化アノテーションと前記メタ情報との組み合わせに対して検索を実行することによって、前記抽出用情報に基づいて前記符号化アノテーションを抽出し、抽出された前記符号化アノテーションに対して前記編集指示に基づく編集を実行することによって、編集済の前記アノテーションである編集済アノテーションを作成し、
前記インタフェースは、前記第１のユーザ端末と前記第２のユーザ端末とのうちの少なくとも一方に、前記編集済アノテーションを送信する、
請求項１又は請求項２に記載のデータ管理装置。
【請求項４】
データ管理装置が実行するデータ管理方法であって、
抽出に用いられる情報である抽出用情報を含むメタ情報とアノテーションとの組み合わせを、第１のユーザ端末から取得するインタフェースステップと、
前記アノテーションを符号化する符号化復号ステップと、
符号化された前記アノテーションである符号化アノテーションと前記メタ情報との組み合わせを記憶部に記録するデータ処理ステップと
を含み、
前記符号化復号ステップでは、前記符号化アノテーションから、前記アノテーションを復号し、
前記インタフェースステップでは、復号結果である前記アノテーションを、第２のユーザ端末に送信し、
前記抽出用情報は、案として描かれた前記アノテーションであるか又は決定事項として描かれた前記アノテーションであるかを表す情報を含む、
データ管理方法。
【請求項５】
請求項１から請求項３のいずれか一項に記載のデータ管理装置としてコンピュータを機能させるためのプログラム。
【手続補正２】
【補正対象書類名】明細書
【補正対象項目名】００４７
【補正方法】変更
【補正の内容】
【００４７】
データ処理部４３は、抽出用情報「性質＝決定事項」が付与されているアノテーションのみを、記憶部４４に記憶されている複数の符号化アノテーションのうちから抽出する。図１１に示された資料１１０には、抽出用情報「性質＝決定事項」が付与されているアノテーション３００及びアノテーション３１０のみが描かれている。
【手続補正３】
【補正対象書類名】明細書
【補正対象項目名】００６３
【補正方法】変更
【補正の内容】
【００６３】
インタフェース４１は、復号された編集済アノテーションを、符号化復号部４２から取得する。インタフェース４１は、編集済アノテーションを、通信回線３を経由してユーザ端末２−１に送信する（ステップＳ２１６）。ユーザ端末２−１は、編集済アノテーションを表示する。例えば、ユーザ端末２−１は、図１０に示されたような重要度の高いアノテーションのみを表す議事録を、編集済アノテーションとして表示する（ステップＳ２１７）。
【手続補正４】
【補正対象書類名】明細書
【補正対象項目名】００６４
【補正方法】変更
【補正の内容】
【００６４】
インタフェース４１は、ユーザ端末２−１に送信された編集済アノテーションと同じ編集済アノテーションを、通信回線３を経由してユーザ端末２−２に送信する（ステップＳ２１８）。ユーザ端末２−２は、編集済アノテーションを表示する。例えば、ユーザ端末２−１は、図１０に示されたような重要度の高いアノテーションのみを表す議事録を、編集済アノテーションとして表示する（ステップＳ２１９）。